(57)【要約】      （修正有）【課題】テラヘルツ波やホルミシスのような人体に好ましい機能を有するベスト又はこれに類する胴着を提供する。【解決手段】テラヘルツ波放出機能性小板体１を複数枚配設したホルミシス機能性シート体２を、ベスト３又はこれに類する胴着の、装着時に人体の少なくとも背骨に当たる箇所に、積層ないし埋設状に取り付けて、機能性ベストとする。またそれに使用される該テラヘルツ波放出機能性小板体１を複数枚配設した該ホルミシス機能性シート体２から成るものを、機能性ベストの主要部品とする。【選択図】図２
0003227486.tif 000002
【実用新案登録請求の範囲】
【請求項１】
テラヘルツ波放出機能性小板体を複数枚配設したホルミシス機能性シート体を、ベスト又はこれに類する胴着の装着時に人体の少なくとも背骨に当たる箇所に、積層ないし埋設状に取り付けて成ることを特徴とする機能性ベスト。
【請求項２】
テラヘルツ波放出機能性小板体を複数枚配設したホルミシス機能性シート体より成ることを特徴とする機能性ベストの部品。
【考案の詳細な説明】
【技術分野】
【０００１】この考案は、装着者にとって好ましい機能性を有するベスト又はこれに類する胴着とこれを構成する主要部品に関する。
【背景技術】
【０００２】近年、健康志向の高まりとともに様々な健康グッズが出回っているのは周知の通りである。その分野も大掛かりで複雑なものから小形でシンプルなものまで多岐にわたるが、いずれもその機能は人体に対し好影響を及ぼすことを目的としており、なかには体験的にその効果が多数支持されているものや医学的エビデンスが徐々に確立しつつあるものもある。【０００３】その例として、遠赤外線の一領域であるテラヘルツ波の作用に注目したものがある。これは微量ながら生物細胞のＤＮＡとの深い関わり、特にその修復作用などが認められた例もあり、これを特異的に輻射又は反射するテラヘルツ鉱物等も存在する。またいわゆるホルミシス効果については既に公認された事実となっており、その理論的エビデンスについては諸説あるが、その一つは半減期の極めて長い放射性物質が放射する善玉放射能であるベータ線（電子線）がマイナスイオンを生成して、諸悪の根源である活性酸素（ヒドロキシラジカル）を消去し、酸化障害を抑制するというものである。有名な玉川温泉の根強い支持者が多いのも、理由があってのことと考えられている。
【考案の開示】
【考案が解決しようとする課題】
【０００４】このような人体に好ましい作用を有するとされる素材があるにしても、これをどのようなかたちで人体に適用させるかが重要であるが、従来のものの多くは、大型かつ高コストであったり、それを用いる手順が面倒で使用時間も限定的になるなどの問題点があった。本考案はかかる問題点を解決することを課題とする。
【課題を解決するための手段】
【０００５】衣食住のひとつである衣料は、人間が常時身に着けて身の回り環境を形成するものであるが、他方、それは外見的或いは体感覚的に違和感を感じさせるものであってはならない。そこで本考案者はベストのような胴着類に着目し、本考案に到達するに至った。【０００６】すなわち、テラヘルツ波放出機能性小板体１を複数枚配設したホルミシス機能性シート体２を、ベスト３又はこれに類する胴着の、装着時に人体の少なくとも背骨に当たる箇所に、積層ないし埋設状に取り付けて、本考案の機能性ベストとする。【０００７】また、それに使用される該テラヘルツ波放出機能性小板体１を複数枚配設した該ホルミシス機能性シート体２から成るものを、本考案の機能性ベストの主要部品とする。【０００８】ここで言うテラヘルツ波放出機能性小板体１は、テラヘルツ領域の遠赤外線を常温で効率的に輻射または反射するいわゆるテラヘルツ鉱物とされる円柱状のものを、例えば小型のコインないしタブレット状にスライスしたような形態をとることが好ましい。【０００９】またホルミシス機能性シート体２は、天然鉱石からなる法定規準以下のベータ線放射性鉱物微粉末をポリエステル繊維等に練込み又は積層して、薄手の縦長帯状シート体に形成したようなものが該当する。【００１０】このホルミシス機能性シート体２には付随的に、例えば遠赤外線材料や磁性体等も加えて保温や血行促進機能などを付与するようにしてもよい。そしてこの薄手の縦長帯状シート体に該小板体１が複数枚、配設されるわけである。【００１１】このようなテラヘルツ波放出機能性小板体１付きホルミシス機能性シート体２を違和感なくかつ効果的に取り付けるに適した衣服は、前述のようにベストのような胴着類である。これは上着と下着の間に装着するものであって、嵩張ることなく人体に近接していて、邪魔になったり目障りになることがない。【００１２】ベスト類に取り付けるホルミシス機能性シート体２は、具体的には装着時に背骨を覆うような形になるものであり、例えば幅約８０ｍｍ、長さ数十ｃｍの細かい網目の縦長薄手帯状シートをベースとし、これに例えば直径１２ｍｍ、厚さ１ｍｍ程度の該小板体１を縦２列に合計十数個、飛石状に配設したような形態になる。【００１３】なお、該テラヘルツ波放出機能性小板体１付きホルミシス機能性シート体２は、前記のようにベスト類の背中背骨に当たる箇所に縦長に取り付けるのが基本であるが、必ずしもそこのみに限るものではない。例えば両肩に当たる箇所にも取り付けるのは任意であって、その場合の該シートの形状は縦長帯状にする必要はない。肩の箇所に取り付けるのはあくまでも補助的なものである。
【考案の効果】
【００１４】本考案によれば、テラヘルツ波やホルミシス等の機能性を有する素材を効果的に発揮させるにあたり、日常的によく装着する衣服のなかでも、ベストのような胴着類のように上着と下着の中間にあって人体との適切な近接距離にある箇所に違和感なく目障りにもならずに取り付けることができるから、甚だ効率的かつ快適にその機能を享受できるという効果がある。
【考案を実施するための形態】
【００１５】極高純度のシリコン（ケイ素）よりなるテラヘルツ鉱物を厚さ約１ｍｍ、直径約１２ｍｍの円板状に加工形成してテラヘルツ波放出機能性小板体１とし、これを図１に例示したように、幅約８０ｍｍ、長さ約５５０ｍｍのホルミシス機能性鉱物含有の合成繊維からなる２枚の高メッシュ網目薄手シート間に、所定間隔を保ちつつ例えば１４個を２列に配置して、回りを縫製固定し、これを本考案の主要部品となるテラヘルツ波放出機能性小板体１付きホルミシス機能性シート体２とする。
【００１６】上記シート体２を図２に例示したように、ベスト３の裏側中央部において縦長になるように縫製配設する。また両肩に当たる箇所にも、図では裏側になりかつ非長方形であるが、同様の機能をもつテラヘルツ波放出機能性小板体１付きホルミシス機能性シート体２を付随的に配設する。
【００１７】試作品の試用者によれば、通常使用するベストと比べ何ら違和感はなく、最近はオーソドックスな医学界でも注目しているような、単なる気のせいでは片付けられないような快適性、保温性、その他身体上の健康改善効果だけでなく、メンタル面でも好ましく感じられるようになるとの指摘があった。
【００１８】なお本考案は上記の例に限定されるものではなく、同様の作用効果の場を提供する胴着類や同様の構成からなる該機能性シート２の全ての場合に及ぶことは言うまでもない。
【産業上の利用可能性】
【００１９】本考案の機能性ベストとその部品には十分なニーズがあり、また素材の供給や製造技術、及びある程度の量産体制も現実的に問題ないので、産業上の利用可能性は十分にあるといえる。
【図面の簡単な説明】
【００２０】
【図１】本考案の主要部品一例の正面図
【図２】本考案一例の正面図
【符号の説明】
【００２１】１……テラヘルツ波放出機能性小板体
２……ホルミシス機能性シート体
３……ベスト
【図１】
0003227486.tif 000003
【図２】
0003227486.tif 000004